【手続補正書】
【提出日】平成30年11月21日(2018.11.21)
【手続補正１】
【補正対象書類名】明細書
【補正対象項目名】０１１８
【補正方法】変更
【補正の内容】
【０１１８】
本明細書に例示的に記載する本発明は、本明細書に具体的に開示しない何らかの要素がなくても好適に実行することができる。したがって、例えば、本明細書ではいずれの場合も、「備える、含む（comprising）」、「から本質的になる（consisting essentially of）」、及び「からなる（consisting of）」という用語のいずれかを、他の２つの用語のいずれかに置き換えることができる。用いた用語及び表現は、限定ではなく説明の用語として使用したものであり、そのような用語及び表現を使用する際、図示及び記載する特徴又はその一部分の何らかの均等物を除外する意図はなく、クレームされる本発明の範囲内で様々な修正形態が可能であることが理解される。したがって、好ましい実施形態及び任意選択の特徴によって、本発明について具体的に開示したが、本明細書に開示する概念の修正形態及び変形形態を、当業者であれば用いることができ、そのような修正形態及び変形形態は、添付の特許請求の範囲によって定義される本発明の範囲内であると見なされることを理解されたい。本発明の実施態様の一部を以下の［項目１］−［項目２０］に記載する。
［項目１］ 
長手方向軸、第１のアパーチャを有する第１の端部、前記第１の端部の反対側の第２のアパーチャを含む第２の端部、並びに前記第１及び第２の端部の間に配置されたバイパスを有する本体であって、
前記バイパスは、長さＬを有する、本体と、
前記第１の端部に近接する前記本体内に摺動自在に配置された第１の栓と、
前記第１の栓と前記第２の端部との間の前記本体内に摺動自在に配置された第２の栓であって、
前記第１及び第２の栓は、前記第１及び第２の栓の間の前記本体内に配置された第１の区画を画定し、
第２の区画は、前記第２の栓と前記第２の端部との間の前記本体内に配置され、
前記第２の栓は、
前記第１の栓に面したトップ面と、
前記第２の端部に面した底面と、
前記トップ面と前記底面との間に延びる側壁であって、前記トップ面に近接する第１の縁部を有する第１の周囲シール、及び前記底面に近接する第２の縁部を有する第２の周囲シールを含む、側壁と、
前記側壁内の第１の開口部から前記第２の栓内に延びる一次導管と、
複数の二次導管であって、それぞれの二次導管は、前記一次導管から前記底面内の別個の第２の開口部に延びる、複数の二次導管と、を含む、第２の栓と、を備え、
前記第１の開口部は、前記第１の周囲シールと前記第２の周囲シールとの間に配置され、
前記二次導管のうちの少なくとも１つは、前記長手方向軸に平行ではない線に沿って前記二次導管のうちの前記少なくとも１つの第２の開口部から出る液体流動を誘導し、
距離Ｄは、前記第１の縁部から前記第２の縁部に長手方向に延び、
距離Ｅは、前記第１の縁部から前記第１の開口部に長手方向に延び、
Ｄ≧Ｌ、及びＥ＜Ｌである、容器。
［項目２］ 
前記二次導管のうちの２つ以上は、前記長手方向軸に平行ではない線に沿って前記第２の開口部から出る液体流動を誘導する、項目１に記載の容器。
［項目３］ 
前記底面は、球台、半球、懸垂面、回転放物面、切頂型円筒、円錐、切頂型円錐、及び錐台からなる群から選択される形状を実質的に規定する、項目１又は２に記載の容器。
［項目４］ 
前記二次導管のうちの少なくとも１つは、前記長手方向軸に対して合成角度を形成する線に沿って前記二次導管のうちの前記少なくとも１つの第２の開口部から出る液体流動を誘導する、項目１から３のいずれか一項に記載の容器。
［項目５］ 
前記二次導管のうちの２つ以上はそれぞれ、前記長手方向軸に対して合成角度を形成する線に沿って前記二次導管のうちの前記２つ以上の第２の開口部から出る液体流動を誘導する、項目４に記載の容器。
［項目６］ 
前記第２の区画は、内部に配置された凍結乾燥試薬を有する、項目１から５のいずれか一項に記載の容器。
［項目７］ 
前記第１の栓に動作可能に結合された柄を更に備える、項目１から６のいずれか一項に記載の容器。
［項目８］ 
前記第２のアパーチャは、結合構造体を含む、項目１から７のいずれか一項に記載の容器。
［項目９］ 
前記容器は、前記第２のアパーチャに近接する開放可能な流体密封シールを含み、閉鎖構成では、前記流体密封シールは、前記第２のアパーチャ内への又は前記第２のアパーチャから出る流体流動を防止する、項目１から８のいずれか一項に記載の容器。
［項目１０］ 
前記結合構造体は、ニードル又はマイクロニードルデバイスを前記容器に結合するように適合される、項目８又は９に記載の容器。
［項目１１］ 
前記第１の区画は、第２の構成成分と混合される所定の量の第１の構成成分を収容し、周囲温度で、前記第１の構成成分は、気体、液体、又はゲルを含む、項目１から１０のいずれか一項に記載の容器。
［項目１２］ 
前記第２の区画は、前記第１の構成成分と混合される所定の量の第２の構成成分を収容し、周囲温度で、前記第２の構成成分は、気体、液体、ゲル、実質的に乾燥した固体、又はペーストを含む、項目１１に記載の容器。
［項目１３］ 
組成物の第１及び第２の構成成分を混合する方法であって、
項目１２に記載の前記容器を用意することと、
前記容器の前記第１の区画内に配置された前記第１の構成成分を、前記容器の前記第２の区画内に配置された前記第２の構成成分に接触させることと、を含み、
前記第１の構成成分は、流体を含み、
前記第２の構成成分は、流体又は固体を含み、
前記第１の構成成分を前記第２の構成成分に接触させることは、少なくとも１つの第１の開口部が前記バイパス、前記第１の区画、及び前記第２の区画と流体連通するまで、前記第１の栓を前記第２の端部に向かって押し込むことを含み、
前記第１の栓を前記第２の端部に向かって押し込むことは、前記第１の構成成分の少なくとも一部分を前記第１の区画から前記第２の区画内に押し込むことを含む、方法。
［項目１４］ 
組成物の第１及び第２の構成成分を混合して前記組成物を分配する方法であって、
項目１２に記載の前記容器を用意することと、
前記容器の前記第１の区画内に配置された前記第１の構成成分を、前記容器の前記第２の区画内に配置された前記第２の構成成分に接触させることと、を含み、
前記第１の構成成分は、気体、液体、及びゲルからなる群から選択され、
前記第２の構成成分は、気体、液体、ゲル、粉末、及びペーストからなる群から選択され、
前記第１の構成成分を前記第２の構成成分に接触させることは、少なくとも１つの第１の開口部が前記バイパス、前記第１の区画、及び前記第２の区画と流体連通するまで、前記第１の栓を前記第２の端部に向かって押し込むことを含み、
前記第１の栓を前記第２の端部に向かって押し込むことは、所定の体積の前記第１の構成成分を前記第１の区画から前記第２の区画内に移送して、前記組成物を形成することを含む、ことと、
閉鎖状態から開放状態に前記第２の端部を変換することと、を含み、
前記所定の体積の前記第１の構成成分が前記第２の区画内に移送された後で、前記第１の栓を前記第２の端部に向かって押し込むことは、前記第２の栓を前記第２の端部に向かって押し込むことを更に含み、
前記第２の栓を前記第２の端部に向かって押し込むことは、前記組成物の少なくとも一部分を前記第２のアパーチャを介して前記本体から出して分配することを含む、方法。
［項目１５］ 
前記容器の前記第２の端部を閉鎖状態から開放状態に変換することは、流体密封シールを閉鎖状態から開放状態に変換することを含む、項目１４に記載の方法。
［項目１６］ 
前記第２の端部を閉鎖状態から開放状態に変換することは、シールを破壊することを含む、項目１４又は１５に記載の方法。
［項目１７］ 
前記第２の端部を閉鎖状態から開放状態に変換することは、弁を閉鎖状態から開放状態に調節することを含む、項目１４から１６のいずれか一項に記載の方法。
［項目１８］ 
前記第２のアパーチャを輸液用器具に流体的に結合することを更に含む、項目１４から１７のいずれか一項に記載の方法。
［項目１９］ 
前記輸液用器具は、カテーテル、カニューレ、ニードル、又はマイクロニードルデバイスからなる群から選択される、項目１８に記載の方法。
［項目２０］ 
前記第１の構成成分は、液体を含み、前記第２の構成成分は、実質的に乾燥した固体を含む、項目１４から１９のいずれか一項に記載の方法。
【手続補正２】
【補正対象書類名】特許請求の範囲
【補正対象項目名】全文
【補正方法】変更
【補正の内容】
【特許請求の範囲】
【請求項１】
長手方向軸、第１のアパーチャを有する第１の端部、前記第１の端部の反対側の第２のアパーチャを含む第２の端部、並びに前記第１及び第２の端部の間に配置されたバイパスを有する本体であって、
前記バイパスは、長さＬを有する、本体と、
前記第１の端部に近接する前記本体内に摺動自在に配置された第１の栓と、
前記第１の栓と前記第２の端部との間の前記本体内に摺動自在に配置された第２の栓であって、
前記第１及び第２の栓は、前記第１及び第２の栓の間の前記本体内に配置された第１の区画を画定し、
第２の区画は、前記第２の栓と前記第２の端部との間の前記本体内に配置され、
前記第２の栓は、
前記第１の栓に面したトップ面と、
前記第２の端部に面した底面と、
前記トップ面と前記底面との間に延びる側壁であって、前記トップ面に近接する第１の縁部を有する第１の周囲シール、及び前記底面に近接する第２の縁部を有する第２の周囲シールを含む、側壁と、
前記側壁内の第１の開口部から前記第２の栓内に延びる一次導管と、
複数の二次導管であって、それぞれの二次導管は、前記一次導管から前記底面内の別個の第２の開口部に延びる、複数の二次導管と、を含む、第２の栓と、を備え、
前記第１の開口部は、前記第１の周囲シールと前記第２の周囲シールとの間に配置され、
前記二次導管のうちの少なくとも１つは、前記長手方向軸に平行ではない線に沿って前記二次導管のうちの前記少なくとも１つの第２の開口部から出る液体流動を誘導し、
距離Ｄは、前記第１の縁部から前記第２の縁部に長手方向に延び、
距離Ｅは、前記第１の縁部から前記第１の開口部に長手方向に延び、
Ｄ≧Ｌ、及びＥ＜Ｌである、容器。
【請求項２】
前記二次導管のうちの２つ以上は、前記長手方向軸に平行ではない線に沿って前記第２の開口部から出る液体流動を誘導する、請求項１に記載の容器。
【請求項３】
前記底面は、球台、半球、懸垂面、回転放物面、切頂型円筒、円錐、切頂型円錐、及び錐台からなる群から選択される形状を実質的に規定する、請求項１又は２に記載の容器。
【請求項４】
前記二次導管のうちの少なくとも１つは、前記長手方向軸に対して合成角度を形成する線に沿って前記二次導管のうちの前記少なくとも１つの第２の開口部から出る液体流動を誘導し、前記二次導管のうちの２つ以上はそれぞれ、前記長手方向軸に対して合成角度を形成する線に沿って前記二次導管のうちの前記２つ以上の第２の開口部から出る液体流動を誘導する、請求項１から３のいずれか一項に記載の容器。
【請求項５】
前記第２のアパーチャは、ニードル又はマイクロニードルデバイスを前記容器に結合するように適合される結合構造体を含む、請求項１に記載の容器。
【請求項６】
前記第１の区画は、第２の構成成分と混合される所定の量の第１の構成成分を収容し、周囲温度で、前記第１の構成成分は、気体、液体、又はゲルを含む、請求項１から５のいずれか一項に記載の容器。
【請求項７】
前記第２の区画は、前記第１の構成成分と混合される所定の量の第２の構成成分を収容し、周囲温度で、前記第２の構成成分は、気体、液体、ゲル、実質的に乾燥した固体、又はペーストを含む、請求項６に記載の容器。
【請求項８】
組成物の第１及び第２の構成成分を混合する方法であって、
請求項７に記載の前記容器を用意することと、
前記容器の前記第１の区画内に配置された前記第１の構成成分を、前記容器の前記第２の区画内に配置された前記第２の構成成分に接触させることと、を含み、
前記第１の構成成分は、流体を含み、
前記第２の構成成分は、流体又は固体を含み、
前記第１の構成成分を前記第２の構成成分に接触させることは、少なくとも１つの第１の開口部が前記バイパス、前記第１の区画、及び前記第２の区画と流体連通するまで、前記第１の栓を前記第２の端部に向かって押し込むことを含み、
前記第１の栓を前記第２の端部に向かって押し込むことは、前記第１の構成成分の少なくとも一部分を前記第１の区画から前記第２の区画内に押し込むことを含む、方法。
【請求項９】
組成物の第１及び第２の構成成分を混合して前記組成物を分配する方法であって、
請求項７に記載の前記容器を用意することと、
前記容器の前記第１の区画内に配置された前記第１の構成成分を、前記容器の前記第２の区画内に配置された前記第２の構成成分に接触させることと、を含み、
前記第１の構成成分は、気体、液体、及びゲルからなる群から選択され、
前記第２の構成成分は、気体、液体、ゲル、粉末、及びペーストからなる群から選択され、
前記第１の構成成分を前記第２の構成成分に接触させることは、少なくとも１つの第１の開口部が前記バイパス、前記第１の区画、及び前記第２の区画と流体連通するまで、前記第１の栓を前記第２の端部に向かって押し込むことを含み、
前記第１の栓を前記第２の端部に向かって押し込むことは、所定の体積の前記第１の構成成分を前記第１の区画から前記第２の区画内に移送して、前記組成物を形成することを含む、ことと、
閉鎖状態から開放状態に前記第２の端部を変換することと、を含み、
前記所定の体積の前記第１の構成成分が前記第２の区画内に移送された後で、前記第１の栓を前記第２の端部に向かって押し込むことは、前記第２の栓を前記第２の端部に向かって押し込むことを更に含み、
前記第２の栓を前記第２の端部に向かって押し込むことは、前記組成物の少なくとも一部分を前記第２のアパーチャを介して前記本体から出して分配することを含む、方法。